(57)【要約】      （修正有）【課題】中性及び／又はイオン化された種を注入する装置、ガイダンス装置及びＮＥＭＳ型検出器を結合することにより、構成要素全体が近接した効率的システムを提供する。【解決手段】液体における懸濁液又は溶液内の粒子の質量を検出する装置であり、装置は：少なくとも粒子を含むフラックスを得るために、液体４を噴霧化する第１の装置２、フラックスをガイドし、空気力学的に集束させる第２の装置６、及び、粒子を受けるために、第２の装置の放出口に対向して配置された少なくとも一つの重量検出器１４を含み、周波数測定によって粒子の質量を測定する第３の装置１２、によって構成する。【選択図】図１
2014179320.tif 000002
【特許請求の範囲】
【請求項１】
液体における懸濁液又は溶液内での少なくとも一つの粒子の質量を検出する装置であり、
前記装置は：
前記少なくとも一つの粒子を少なくとも含むフラックスを得るために、前記液体（４）を噴霧化する第１の装置（２）、
前記フラックスを受ける入口（２４）及び放出口（１０、３２）を含み、前記フラックスをガイドし、空気力学的に集束させる第２の装置（６−２２、４０−４２、４４−５２、２２−３２）、及び、
前記少なくとも一つの粒子を受けるために、前記第２の装置の前記放出口に対向して配置された少なくとも一つの重量検出器（１４）を含み、周波数測定によって前記少なくとも一つの粒子の質量を測定する第３の装置（１２）、
を備える。
【請求項２】
前記第２の装置（６−２２、４０−４２、４４−５２、２２−３２）は、電気的に中性であることを特徴とする請求項１に記載の装置。
【請求項３】
前記第２の装置は、エアロダイナミックレンズ（６、４０、４４）を有することを特徴とする請求項１又は２に記載の装置。
【請求項４】
前記エアロダイナミックレンズは、前記放出口で開口部（４２）に結合されることを特徴とする請求項３に記載の装置。
【請求項５】
前記第１の装置（２）を含む、所定の圧力のゾーン（１６）、及び、
前記ゾーン（１６）に連絡し、前記第２の装置の少なくとも一部分を含み、前記ゾーンの圧力よりも低い第１の圧力であるように提供される少なくとも一つの真空の筐体（１８、２８）又は第１の筐体、をさらに含む請求項１乃至４の何れか一項に記載の装置。
【請求項６】
前記第２の装置は、前記第１の筐体（１８）と連絡する前記ゾーンを配置するために、前記ゾーン（１６）における入口開口部（２４）と、前記第１筐体（１８）における出口開口部（２６）とを有するキャピラリー管（２２）をさらに含むことを特徴とする請求項５に記載の装置。
【請求項７】
前記第２の装置は、前記キャピラリー管（２２）の前記入口（２４）及び／又は出口開口部（２６）に対向するエアロダイナミックレンズ（６）を有することを特徴とする請求項６に記載の装置。
【請求項８】
任意で前記第１の圧力より低い第２の圧力であるように提供され、前記第３の装置（１２）を含み、前記重量検出器（１４）に対向する第１の開口部（３２）を通じて前記第１の筐体（１８）に連絡する別の真空筐体（１８）又は第２の筐体をさらに含むことを特徴とする請求項１乃至３の何れか一項に記載の装置。
【請求項９】
前記重量検出器（１４）は、ナノ電気機械システム、マイクロ電気機械システム、水晶振動子マイクロバランス、弾性表面波共鳴器、バルク超音波共鳴器、及び衝撃検出器から選択されることを特徴とする請求項１乃至８の何れか一項に記載の装置。
【請求項１０】
前記第１の装置（１２）は、超音波ネブライザー、マイクロ波誘導噴霧装置、マイクロキャピラリーアレイネブライザー、及び弾性表面波ネブライザーから選択されることを特徴とする請求項１乃至９の何れか一項に記載の装置。
【発明の詳細な説明】
【技術分野】
【０００１】
本発明は、液体における懸濁液又は溶液内での粒子の質量測定装置に関するものであり、特に、それは、中性の又はイオン化された種（species）の質量分析に適用される。
【背景技術】
【０００２】
従来の質量分析（MS）は、汎用の化学又は生物学的分析ツールであり、4つの必須の部品；インジェクションシステム（injection system）、イオン源（ionization source）、質量分析器及びイオン探知器に基づく。これらの構成要素は、真空をつくるためのポンプを備えた筐体内に配置される。
【０００３】
質量分析測定の結果は、混合物における種の質量／電荷の関数としての種のタイプの存在度を反映するスペクトルである。スペクトルの各ピークは、１価又は多価イオン（a mono-charged or multi-charged ion）の特徴であり；そして、種の同定は、予め準備されたデータバンクによって成し遂げられる。
【０００４】
述べられた技術は、現在多数のアプリケーションの基準となっている。しかしながら、それにはいくつかの欠点がある：
−この技術は、実行が比較的長く、そして、感度があまり高くない：多くの生物学的材料が測定を行うのに必要である；
−市販の質量分析装置は、全て極度に大きい：それらは数立方メートルのオーダーの体積を占める；そして、それらは高価である：それらは数十万ユーロのコストがかかる；そして、−この技術は、一般的に１００ｋＤａ（１．６６×１０−２２ｋｇ）（測定解像度が完全に不十分になる質量）を超える重要な質量を測定することが可能ではない。
【０００５】
この後者の欠点は、主に重粒子を十分に加速することの難しさに起因しており、そして、イオン探知器に到達できるように充分なエネルギーを与える。しかしながら、生物医学医分野において基本的な重要性を有していることから、質量が１００ｋＤａ（１．６６×１０−２２ｋｇ）を超える粒子を測定することを可能にすることは重要である：それらは、例えば、ウイルス、バクテリア、オルガネラ、タンパク質複合体または細胞であってもよい。
【０００６】
ＮＥＭＳ（即ち、ナノエレクトロメカニズムシステム（nano-electro-mechanical systems））を使用する質量を検出する別の技術も提案されている。そして、共鳴装置をベースにするＮＥＭＳは、検出限界がＱＣＭ、即ち、市販の水晶振動子マイクロバランスを下回る１０１２回となるように作られている。この点において、以下の文献を参照することができる。：
K. L. Ekinci、X. M. H.Huang及びM. L. Roukes、2004、「Ultrasensitive nanoelectromechanical mass detection」、Applied Physics Letters 84（22）：4469. doi：10.1063/1.1755417
Michae L. Roukes及びKamil L. Ekinci、2004、「Apparatus and method for ultrasensitive nanoelectromechanical mass detection」US 6 722 200
【０００７】
このようなＭＥＭＳベースの共鳴装置の原理は、後に説明される。
【０００８】
質量ｍｐの粒子は、ＮＥＭＳ（剛性がｋ、有効質量ｍ）に沈殿して、その総質量を増加させる。装置の新しい共振周波数は、次に等しい：
【数１】
2014179320.tif 000003
周波数応答ピーク（開ループ）は、質量ｍｐの堆積の前後で、Δｆの量だけシフトする。これは、
【数２】
2014179320.tif 000004
とほとんど異ならない。
装置が閉ループで使用される場合、共振周波数は、電気変換手段及びループ閉塞手段を利用してリアルタイムでモニターされることができる。
【０００９】
このように、共鳴しているＮＥＭＳへの吸着の間、検体の個々の粒子又はそのような粒子のグループは、ＮＥＭＳの共振周波数を激減させる。そして、粒子又は粒子のグループの質量は、周波数ジャンプΔｆの測定から推定されることができる。
【００１０】
前記周波数ジャンプΔｆは、粒子又は粒子のグループの質量に依存する（上記のΔｆの値を参照）。しかし、それはまた粒子又は粒子のグループがＮＥＭＳの表面に定着した位置に依存する。ＮＥＭＳ上への粒子の吸着位置が正確に決められない場合−そして、これは最もよくあるケースである−、単独の周波数ジャンプ情報は充分ではない。頼み（recourse）はそれから統計的アプローチを参照することができ、それは：
−各イベントが、周波数ジャンプと関連している、一つの粒子又は粒子のセットの出現に対応している、多数のイベントを測定すること、及び
−ＮＥＭＳの表面の位置の等確率性を仮定すること、である。
【００１１】
この点において、以下の文献を参照することができる。：
A.K. Naik、M. S. Hanay、W. K. Hiebert、X. L. Feng及びM. L. Roukes、2009、「Towards single-molecule nanomechanical mass spectrometry」、Nature Nanotechnology 4：445-450. doi：10.1038/NNANO.2009.152
【００１２】
別の解決策は、同一のＮＥＭＳの２つ又は多数のモードの周波数をリアルタイムで測定することにある。情報のいくつかは、それによって利用できる。この点において、以下の文献を参照することができる。：
S. Dohn、W. Svendsen、A. Boisen及びO. Hansen、2007、「Mass and position determination of attached particles on cantilever based mass sensors」、Review of Scientific Instruments 78: 103303. doi：10.1063/1.2804074.
【００１３】
このＮＥＭＳ手段による質量測定は、質量分析を行うためにそれらを使用することにつながっておりて、それはＮＥＭＳ−ＭＳとして知られている。この技術において、混合物に存在する全ての粒子の質量の分布が測定され、そして、測定するために、それらはＮＥＭＳの表面上に次々と送られる。これは、個々の粒子のレベルで、生物学的質量分析を可能にして、以下の利点を得る：
−半導体ウエハ上で大量に、且つ一括に製造されることが可能なＮＥＭＳの可積分性により、ＮＥＭＳ−ＭＳは、測定を非常に速くする、非常に並列化できる（parallelisable）技術であり；そして、携帯でき、且つ安価なＮＥＭＳ−ＭＳ装置の製造を構想することが可能になる；
−重量測定のＮＥＭＳを使用している質量の検出は、イオン及び中性の粒子の両方に影響を受け；測定効率は、それによって数桁改善される；そして、
−重量検出は、全測定範囲にわたって一定である質量分解能を提供して、従来技術とは異なり、高い質量（high masses）で、優れた分解能を提供する。
【００１４】
既に挙げられているA.K. Naik et al.の論文の図１は、既知のＮＥＭＳ−ＭＳシステムを示しており、その構造は従来の質量分析器と類似している：液相の生物学的粒子が注入され、そして、真空下で、正確には１０−５ｍＴｏｒｒ（１０−６Ｐａ）オーダーの圧力のもとで、ＮＥＭＳにできるだけ効率的に伝達される。
【００１５】
そうするために、市販の構成要素が使用される：、インジェクション源（injection source）はＥＳＩ、即ち、分析される種を霧状にして、イオン化するエレクトロスプレーイオン化を利用する。後者は、いくつかの差動排気とイオン・ガイダンス段階（ヘキサポールを使用する）を通過する。そして、最終的にＮＥＭＳゾーンに到着する。
【００１６】
そのような既知のシステムは、ＮＥＭＳ−ＭＳ技術によってもたらされる利点の全ての最適使用を可能にするというわけではないさまざまな欠点がある：
−この既知のシステムにおいて、インジェクション源とＮＥＭＳとは、差動排気を可能にするために、互いに非常に遠く離れており；インジェクション源とＮＥＭＳとの間に種の相当な損失が起こる；
−この離れた距離は、種をＮＥＭＳへ強制的にガイドする；そして、このシステムでは、イオン化された種だけがガイドされ;中性の粒子は、システム内で失われる；そして
−そのような離れた距離で、イオンビームを数平方ミリメートル未満の表面積に集中させることは、非常に難しい；したがって、粒子のうちの非常に低い割合の一部の粒子が実際にＮＥＭＳに沈殿し、それの表面積は概して数平方マイクロメートルのオーダーである。
【００１７】
これらの欠点の全ては、この既知のシステムを非常に非効率的にして、ＮＥＭＳ−ＭＳの利点から利益を完全に得ることを可能にしない。特に、中性の及び／又は同様にイオン化された種を専門とするシステムに使用において潜在的な利点を見ることができる。実際に、一般に重い種、特にＮＥＭＳ−ＭＳによってターゲットにされる種類（オルガネラ、ウイルス、バクテリア、タンパク質複合体など）のイオン光学（そして、電磁場の手段）による伝達は、非常に難しい。正しい効率でこれらの重い粒子を伝達するために、それらを変性させる効果があって、もはやそれらの天然の状態でそれらを測定することを可能にしない高電荷の状態にすることが必要である。
【００１８】
ＮＥＭＳを使用している共鳴装置は、以下の文献を通しても知られている：
S. HentzのWO 2012/034949、S. Hentz et al. のWO 2012/034951、S. HentzのWO 2012/034990である。
【発明の概要】
【発明が解決しようとする課題】
【００１９】
本発明の目的は、中性及び／又はイオン化された種を注入する装置、ガイダンス装置及びＮＥＭＳ型検出器を結合することにより、上述した既知のＮＥＭＳ−ＭＳシステムの欠点を解決し、これらさまざまな構成要素全体が近接していることが好ましい。
【００２０】
正確には、本発明の主題は、液体における懸濁液又は溶液内での少なくとも一つの粒子の質量を検出する装置であり：
−前記少なくとも一つの粒子を少なくとも含むフラックス（flux）を得るために、液体を噴霧化する第１の装置、
−前記フラックスを受ける入口及び放出口を含み、前記フラックスをガイドし、空気力学的に集束させる（aerodynamic focusing）第２の装置、及び、
−前記少なくとも一つの粒子を受けるために、前記第２の装置の前記放出口に対向して配置された少なくとも一つの重量検出器を含み、周波数測定によって前記少なくとも一つの粒子の質量を測定する第３の装置、を備えることを特徴とする。
【００２１】
本発明の主題である装置は、使用されるフラックスの流量と分析される粒子を含む検体のタイプに応じて、懸濁液又は溶液での、各粒子又は粒子のセットの質量を測定することを可能にする。「粒子」は、個々の粒子又は粒子の集合を意味することは明らかである。
【００２２】
本発明の主題である装置の特定の実施形態によれば、前記第２の装置は、電気的に中性である。
【００２３】
そのような電気的に中性の装置は、中性の粒子と同様に陽イオン及び陰イオンを同じように伝達するという長所を有する。
【００２４】
前記第２の装置は、エアロダイナミックレンズを有してもよい。
【００２５】
前記エアロダイナミックレンズは、前記放出口で、開口部に結合されてもよい。
【００２６】
好ましくは、本発明の主題である装置は：
−前記第１の装置を含む、所定の圧力のゾーン、及び、
−前記ゾーンに連絡し、前記第２の装置の少なくとも一部分を含み、前記ゾーンの圧力よりも低い第１の圧力であるように提供される少なくとも一つの真空の筐体（enclosure）又は第１の筐体、をさらに含む。
【００２７】
「所定の圧力」は、空気圧（大気圧）又は本発明への適用の想定に応じて別のガスの圧力を意味する。
【００２８】
また、前記第１の筐体と連絡する前記ゾーンを配置するために、前記第２の装置は、前記ゾーンにおける入口開口部と、前記第１筐体における出口開口部とを有するキャピラリー管をさらに含んでもよい。
【００２９】
この場合、前記第２の装置は、前記キャピラリー管の前記入口及び／又は出口開口部に対向するエアロダイナミックレンズを有してもよい。
【００３０】
したがって、フラックスの集中又は集束が、前記キャピラリー管の前記入口及び／又は出口開口部で同様に起こることができる。
【００３１】
特定の実施形態によれば、本発明の主題の装置は、第２の圧力であるように提供される別の真空筐体又は第２の筐体をさらに含む。前記第２の圧力は、前記第１の圧力より低くてもよく、前記第２の筐体は、前記第３の装置を含み、前記重量検出器に対向する第１の開口部を通じて前記第１の筐体に連絡する。
【００３２】
前記重量検出器は、ナノ電気機械システム、マイクロ電気機械システム、水晶振動子マイクロバランス、ＳＡＷ（弾性表面波）共鳴器、ＢＡＷ（バルク超音波）共鳴器、及び衝撃検出器（impact detector）から選択されてもよい。
【００３３】
前記第１の装置は、超音波ネブライザー、マイクロ波誘導噴霧装置、マイクロキャピラリーアレイネブライザー、及び弾性表面波ネブライザーから選択されてもよい。
【図面の簡単な説明】
【００３４】
【図１】本発明の主題である装置の特定の一実施形態の概略図である。
【図２】エアロダイナミックフォーカスレンズ（aerodynamic focusing lens）の原理を概略的に示す図である。
【図３】完全なエアロダイナミックフォーカスシステムの一例を概略的に示す図である。
【図４】本発明で使用されることができるエアロダイナミックフォーカス装置の単純な一例を概略的に且つ部分的に示す図である。
【発明を実施するための形態】
【００３５】
本発明は、添付の図面を参照して後述する実施形態の例の説明を読めばよりよく理解されるであろう。実施形態の例は、単に指標として示されるものであり、決して限定されるものではない。
【００３６】
図１は、液体における懸濁液又は溶液内で粒子の質量を測定する装置の特定の実施形態の概略図である。前記装置は、：
−少なくとも前記粒子を含むフラックスを得るために、前記液体、すなわち、示されている例において液滴４の形態で堆積する検体を噴霧化するための装置２、
−入口８と放出口１０を有するエアロダイナミックフォーカスレンズ（aerodynamic focusing lens）６を含み、前記フラックスをガイドし、空気力学的に集束させる（aerodynamic focusing）装置、及び、
−前記粒子を受けるために、エアロダイナミックフォーカスレンズ６の放出口１０に対向して配置された少なくとも一つの重量検出器１４を含み、周波数測定によって前記粒子の質量を測定する装置１２、を備える。
【００３７】
図１において示される装置は：
−噴霧装置２を含み、所定の圧力、例えば、大気圧（およそ１０５Ｐａ）のゾーン１６、及び、
−ゾーン１６に連絡して、装置６を含み、一次真空（primary vacuum）が確立される、即ち、矢印２０によって表わされている一次ポンプ（primary pump）を用いて１０２Ｐａオーダーの残留圧力が実現される真空の筐体１８を含む。
【００３８】
フラックスのガイド及び空気力学的に集束させる装置は、筐体１８に連絡するゾーン１６を配置するために、ゾーン１６における入口開口部２４と筐体１８における出口開口部２６とを有するキャピラリー管（直線）２２を備える。フラックスのガイド及び空気力学的に集束させる装置の入口は、キャピラリー管２２の入口開口部２４から構成され、フラックスのガイド及び空気力学的に集束させる装置の出口は、エアロダイナミックフォーカスレンズ６の放出口１０から構成される。
【００３９】
キャピラリー管２２は、懸濁液又は溶液における粒子を脱溶媒和することを可能にすると指摘されている。
【００４０】
図１に示されている装置は、二次真空が確立される、即ち、矢印３０によって表わされているターボ分子ポンプ手段によって１０−２Ｐａオーダーの残留圧力が実現される別の筐体２８（しかしながら、本発明の別の実施例では、筐体１８及び筐体２８は、同じ圧力であってもよい）を備える。
【００４１】
筐体２８は、装置１２を含み、検出器１４に対向する開口部３２を通じて筐体１８に連絡する。
【００４２】
図１に示されるように、前記検出器１４は、密封されたフィードスルー３６に実装されたマイクロポジショニングウエハー３４上に実装される。
【００４３】
キャピラリー管２２は、前記開口部３２に一直線上にあり、装置６は、開口部３２とキャピラリー管２２の出力開口部２６との間に構成される。
【００４４】
したがって、図１の例において、検体は液相に存在し、液体の一部は装置２で霧状にされる。装置２は、主に中性であり、一部が潜在的にイオン化される可能性がある検体を含んでいる非常に小さい液滴のエアゾールを生成する。ゾーン１６及び筐体１８間の圧力差のため、前記エアゾールは、インレットキャピラリー管２２に吸い込まれる。それの反対側に、二次真空筐体２８に位置する検出器１４に中性の種及びイオンを同様にガイドすることができるエアロダイナミックフォーカスレンズ６が配置される。
【００４５】
図１に示される本発明の例は、２つの差動ポンプチャンバー、即ち、筐体１８、２８を備えるが、２つ以上の差動ポンプチャンバー又は単一のチャンバーを備える、本発明による装置を生産することも可能である。
【００４６】
図１の例において、検出器１４は、一つのＮＥＭＳを含むが、前記検出器が多数のそのようなＮＥＭＳを含む、本発明による装置を生産することも可能である。
【００４７】
検出器１４を読み出し、且つ制御する手段は、ここでは図示しない。前記検出器１４は、温度制御されてもよく、されなくてもよい。インレットキャピラリー管２２についても同様である。
【００４８】
検出のためにＮＥＭＳを使用することは有利である;しかし、他のあらゆるい重量計検出器（ＭＥＭＳ、ＱＣＭ、ＳＡＷ、ＢＡＷ）が使用されてもよく、より一般的には、慣性力検出器、特に衝撃検出器（impact detector）が使用されてもよい。後者に関しては、以下の文献を参照することができる。：
Jonghoo Park、Hua Qin、Mark Scalf、Ryan T. Hilger、Michael S. Westphall、Lloyd M. Smith及びRobert H. Blick、2011、「A Mechanical Nanomembrane Detector for Time-of-Flight Mass Spectrometry」、Nano Letters 11：3681-3684.
【００４９】
エアロダイナミックフォーカスレンズ６は、より単純に「エアロダイナミックレンズ」として知られている。後者は、実際には一連の単純なエアロダイナミックレンズから構成されていることが知られている。エアロダイナミックレンズレンズの例は、後述される。
【００５０】
本発明では、そのようなレンズの使用は、測定効率を最大にするために、特定の中性の種をガイドすることを可能にする。したがって、イオン光学で使用される種類の静電的誘導（electrostatic guidance）は、用いられない。
【００５１】
エアロダイナミックレンズが単純なエアロダイナミックレンズを構成する一連の開口を含むことが想起される。前記開口は、同一の大きさ（図３を参照、後述する）を有してもよく、又は異なる大きさを有してもよく、例えばだんだん小さくなってもよい（図２参照、後述する）。これらの開口を通して、希釈されたエアゾールは吸い上げられる。軽く、粒子を含まないキャリアガスの大部分（及び、図１の例で使用されるキャピラリー管２２によって吸い上げられる水分子の大部分）は、レンズの放出口にある体積で拡散するのに対し、生体分子といった（ガスの分子と比較して）重い粒子は、放出口フラックスを経て、非常に微細なジェットの形態で集められるために充分な運動量を得る。特定の条件下で、前記ジェットは、一点（焦点）に集中させることができる。
【００５２】
エアロダイナミックレンズは、通常、エアゾール中に存在する粒子の測定を目的とする質量分析計で用いられるが、後者の場合、種は質量分析計に導入された後に常にイオン化されるため、前記レンズは、粒子を検出器にガイドし、集めるためには使用されない。：レンズは、測定される種が分析計を通過する前に、測定される種の集中及び分類のために使用される。
【００５３】
詳細な形態では、本発明において使用されることができる集束装置（図２参照）は、フラックス及び差圧の制御を可能にする入口開口部３８と一連の単純なレンズ４１から構成されるエアロダイナミックレンズ４０とを含む。前記一連の単純なレンズ４１は、装置に沿って粒子が進行するにつれて、粒子の磁束線を圧縮することを可能にする。一連の単純なレンズ４１の放出口で、重い粒子の平行ビーム（collimated beam）を捕捉することを可能にする開口４２が配置されてもよく、一方、軽い分子（例えば、溶媒分子）は体積拡散し、逃げる。
【００５４】
この点で、以下の文献を参照することができる。：
US2008/0022853、「Aerodynamic lens particle separator」、P. Ariessohnの発明
【００５５】
図３は、本発明に使用されてもよく、一つのエアロダイナミックレンズ又は単純なエアロダイナミックレンズ４４の連続４３と、前記単純なレンズの連続の放出口におけるチャネル４５とを有する、エアロダイナミックフォーカス装置の別の例を示している。前記チャネル４５（又は加速ノーズ（acceleration nose））は、粒子の速度に応じて、収束性チャネル又は収束性/発散性チャネルであってもよく、前記粒子が集束することを助ける。
【００５６】
尚、図３の装置の構成要素の一部だけが本発明で使用されてもよいことが指摘される。図３に示される前記装置に関して、Aerodyne Research社によって供給される技術資料を参照することができ、特に：
ARIエアゾール質量分析計、操作マニュアル、9ページが参照されてもよい。
【００５７】
図２のエアロダイナミックレンズ４０（図３のエアロダイナミックレンズ４３）は、明らかに、前記エアロダイナミックレンズの入口及び／又は放出口に配置された、キャピラリー管２２のタイプのキャピラリー管と結合されてもよく、或は、図２の開口４２のタイプの開口と結合されてもよい。
【００５８】
図４は、本発明の別の装置の概略部分図であり、エアロダイナミックフォーカス装置は、単に、インレットキャピラリー管２２と、その出口開口部２６と、ＮＥＭＳ１４が配置された二次真空筐体２８への入口開口部３２とから構成される。この図４において、縦磁束の循環方向（direction of circulation of the longitudinal fluxes）は、図１と比較して逆転する。また、矢印４８は、キャピラリー２８の放出口での軽い分子の放射束（radial flux）を表す。
【００５９】
本発明では、あらゆるタイプの噴霧装置が使用されてもよく、特に、超音波ネブライザー、マイクロ波誘導噴霧装置又はマイクロキャピラリーアレイネブライザーが使用されてもよい。
【００６０】
有利には、ＳＡＷＮ（即ち、弾性表面波ネブライザー）が使用される。この点で、以下の文献を参照することができる。：
David R. Goodlett, Scott R. Heron and Jon Cooper, 2011, "Ions generated by surface acoustic wave device detected by mass spectrometry", WO 2011/060369 A1.
【００６１】
この場合、検体を含む液滴が配置された弾性表面波共振器を使用することが必要である。共振器によって生成される弾性表面波は、それから、霧状にされた液体においてそのエネルギーを消散する。
【００６２】
この噴霧手段は、非常に低いイオン化エネルギーでも、検体の非常に小さい部分をイオン化する利益を有する。さらに、質量の広範囲における全ての水滴及び生物学的粒子を脱離することができる。さらに、そのような噴霧装置は、ある可積分である。それは、総体的なマイクロ製造方法によって得てもよい。そして、このような可積分装置（integrable device）が使用される場合、本発明の全ての構造を集積することが想定されてもよい。
【００６３】
上述された本発明の例において、ガイド及び集束装置は、電気的に中性である。これは、電磁界が前記装置に適用されない、又は装置によって生成されないことを示す。
【００６４】
ガイドと集束のために、望ましくは、このような電気的に中性の装置が使用される。にもかかわらず、電気的に中性ではないガイド及び集束装置、正確には、中性の種をイオン種から分離するために、又は、逆に、中性の種のみを集束することが可能な電磁界を得るための装置を分極させるために、側面が特定の電圧で分極されている装置を使用することができる。
【００６５】
図１の例において、エアロダイナミックレンズ６は、キャピラリー管２２と結合される。しかし、フラックスのガイド及び空気力学的集束を行う第２の装置が、キャピラリーに代わって、隔膜（diaphragm）又は開口を有する本発明の一実施形態が想定されてもよい。
【図４】
2014179320.tif 000005
【図１】
2014179320.tif 000006
【図２】
2014179320.tif 000007
【図３】
2014179320.tif 000008
【外国語明細書】
2014179320000001.pdf